(57)【要約】      （修正有）【課題】正確にカウントし、操作しやすく、５０Ｋｇ〜１３０Ｋｇの表示要件を実現する座席体重調節表示装置を提供する。【解決手段】座席体重調節表示装置は、座席カバープレート１０を含み、体重調節ねじ１、表示装置、調節装置及び回転支持装置（軸受８）をさらに含み、体重調節ねじは、回転支持装置、座席カバープレート、表示装置及び調節装置を順次貫通する。調節装置は、調節レバー５、レバーピン６及び皿ばね７を含み、表示装置は、ディスプレイ本体２及びディスプレイメーターパネル３を含み、ディスプレイメーターパネルはディスプレイ本体に取り付けられる。【選択図】図１
0003221318.tif 000002
【実用新案登録請求の範囲】
【請求項１】
座席カバープレートを含む座席体重調節表示装置であって、
前記座席体重調節表示装置は、体重調節ねじ、表示装置、調節装置及び回転支持装置を含み、前記体重調節ねじは、回転支持装置、座席カバープレート、表示装置及び調節装置を順次貫通することを特徴とする座席体重調節表示装置。
【請求項２】
前記座席体重調節表示装置は偏心ブッシュをさらに含み、該偏心ブッシュは、小端部リングと大端部リングからなり、該小端部リングは前記表示装置に接続されることを特徴とする請求項１に記載の座席体重調節表示装置。
【請求項３】
前記調節装置は、調節レバー、レバーピン及び皿ばねを含むことを特徴とする請求項１または２に記載の座席体重調節表示装置。
【請求項４】
前記回転支持装置は軸受であることを特徴とする請求項３に記載の座席体重調節表示装置。
【請求項５】
前記表示装置は、ディスプレイ本体及びディスプレイメーターパネルを含み、該ディスプレイメーターパネルは前記ディスプレイ本体に取り付けられることを特徴とする請求項４に記載の座席体重調節表示装置。
【請求項６】
前記ディスプレイ本体は、ディスプレイカバープレート、ディスプレイ内歯車及び針からなり、ディスプレイカバープレートは円柱体であり、円心の位置にカバープレート貫通穴が開設され、該カバープレート貫通穴は体重調節ねじの取付けに用いられ、ディスプレイ内歯車はディスプレイカバープレートに取り付けられ、針はディスプレイ内歯車の円周面に設置されることを特徴とする請求項５に記載の座席体重調節表示装置。
【請求項７】
前記ディスプレイメーターパネルはディスプレイメーターパネル外歯車とディスプレイメーターパネルカバープレートからなり、ディスプレイメーターパネルカバープレート表面の円周に目盛線が印字され、ディスプレイメーターパネル外歯車の円心位置には、体重調節ねじを取り付けるディスプレイメーターパネル外歯車貫通穴が開設され、ディスプレイメーターパネルカバープレートは円柱体であり、円心の位置にメーターパネルカバープレート貫通穴が開設され、ディスプレイメーターパネル外歯車はディスプレイ内歯車と噛み合い、ディスプレイメーターパネルカバープレートはディスプレイメーターパネル外歯車に取り付けられることを特徴とする請求項６に記載の座席体重調節表示装置。
【請求項８】
前記体重調節ねじにねじ山部が設置され、体重調節ねじはねじ山部から離れる一端部はレバー接続部であり、レバー接続部にねじピン穴が設置され、レバー接続部の両側は四角面であり、レバー接続部の厚さは体重調節ねじの直径よりも小さく、レバー接続部の端部の厚さは最も小さく、体重調節ねじは一体成形品であることを特徴とする請求項７に記載の座席体重調節表示装置。
【請求項９】
さらに、前記座席体重調節表示装置は平ワッシャーを含み、該平ワッシャーは前記ねじ山部と前記軸受の間に設置されることを特徴とする請求項８に記載の座席体重調節表示装置。
【請求項１０】
偏心ブッシュ、ディスプレイメーターパネル、ディスプレイ本体は同心であることを特徴とする請求項９に記載の座席体重調節表示装置。
【考案の詳細な説明】
【技術分野】
【０００１】
本考案は、車用器具に関し、特に座席体重調節表示装置に関する。
【背景技術】
【０００２】
中国経済の急速な発展に伴い、高速鉄道事業は新しい飛躍的な発展を迎えられると同時に、人々の経済条件が改善し、生活水準が向上するにつれて列車の快適性に対する人々の要求も高まっている。従来の列車座席には体重調節装置がないため、現代社会の発展に適応することができない。
【考案の概要】
【考案が解決しようとする課題】
【０００３】
本考案の目的は、座席体重調節表示装置を提供することであり、該座席体重調節表示装置は、正確にカウントし、操作しやすく、５０Ｋｇ〜１３０Ｋｇの表示要件を実現する。
【課題を解決するための手段】
【０００４】
技術的解決手段は、座席カバープレートを含む座席体重調節表示装置であって、前記座席体重調節表示装置は、体重調節ねじ、表示装置、調節装置及び回転支持装置を含み、前記体重調節ねじは、回転支持装置、座席カバープレート、表示装置及び調節装置を順次貫通することである。
【０００５】
好ましくは、さらに、前記座席体重調節表示装置は偏心ブッシュを含み、該偏心ブッシュは、小端部リングと大端部リングからなり、該小端部リングは前記表示装置に接続される。
【０００６】
好ましくは、前記調節装置は、調節レバー、レバーピン及び皿ばねを含む。
【０００７】
好ましくは、前記回転支持装置は軸受である。
【０００８】
好ましくは、前記表示装置は、ディスプレイ本体及びディスプレイメーターパネルを含み、該ディスプレイメーターパネルは前記ディスプレイ本体に取り付けられる。
【０００９】
好ましくは、前記ディスプレイ本体は、ディスプレイカバープレート、ディスプレイ内歯車及び針からなり、ディスプレイカバープレートは円柱体であり、円心の位置にカバープレート貫通穴が開設され、該カバープレート貫通穴は体重調節ねじの取付けに用いられ、ディスプレイ内歯車はディスプレイカバープレートに取り付けられ、針はディスプレイ内歯車の円周面に設置される。
【００１０】
好ましくは、前記ディスプレイメーターパネルはディスプレイメーターパネル外歯車とディスプレイメーターパネルカバープレートからなり、ディスプレイメーターパネルカバープレート表面の円周に目盛線が印字され、ディスプレイメーターパネル外歯車の円心位置には、体重調節ねじを取り付けるディスプレイメーターパネル外歯車貫通穴が開設され、ディスプレイメーターパネルカバープレートは円柱体であり、円心の位置にメーターパネルカバープレート貫通穴が開設され、ディスプレイメーターパネル外歯車はディスプレイ内歯車と噛み合い、ディスプレイメーターパネルカバープレートはディスプレイメーターパネル外歯車に取り付けられる。
【００１１】
好ましくは、前記体重調節ねじにねじ山部が設置され、体重調節ねじはねじ山部から離れる一端部はレバー接続部であり、レバー接続部にねじピン穴が設置され、レバー接続部の両側は四角面であり、レバー接続部の厚さは体重調節ねじの直径よりも小さく、レバー接続部の端部の厚さは最も小さく、体重調節ねじは一体成形品である。
【００１２】
好ましくは、前記座席体重調節表示装置は平ワッシャーを含み、該平ワッシャーは前記ねじ山部と前記軸受の間に設置される。
【００１３】
好ましくは、前記偏心ブッシュ、ディスプレイメーターパネル、ディスプレイ本体は同心である。
従来技術と比べ、本考案の好適な効果は以下のとおりである。
【００１４】
本考案は、正確にカウントし、操作しやすく、５０Ｋｇ〜１３０Ｋｇの表示要件を実現する。
【図面の簡単な説明】
【００１５】
【図１】図１は本考案の分解構造図である。
【図２】図２は本考案に係るディスプレイカバープレートの構造図である。
【図３】図３は本考案に係るディスプレイ内歯車の構造図である。
【図４】図４は本考案に係るディスプレイメーターパネル外歯車の構造図である。
【図５】図５は本考案に係るディスプレイメーターパネルカバープレートの構造図である。
【図６】図６は本考案の全体構造図である。
【図７】図７は考案の取付け構造図である。
【考案を実施するための形態】
【００１６】
以下、図面に従って本考案を詳細に説明する。
【００１７】
図１〜７に示すように、座席体重調節表示装置は、体重調節ねじ１、ディスプレイ本体２、ディスプレイメーターパネル３、偏心ブッシュ４、調節レバー５、レバーピン６、皿ばね７、軸受８、平ワッシャー９及び座席カバープレート１０を含む。
【００１８】
ディスプレイ本体２は、ディスプレイカバープレート２１、ディスプレイ内歯車２２及び針２３からなり、ディスプレイカバープレート２１は円柱体であり、円心位置にはカバープレート貫通穴２１１が開設され、該カバープレート貫通穴２１１は体重調節ねじ１の取付けに用いられる。ディスプレイ内歯車２２は、ディスプレイカバープレート２１に取付けられ、針２３はディスプレイ内歯車２２の円周面に設置される。
【００１９】
ディスプレイメーターパネル３は、ディスプレイメーターパネル外歯車３１とディスプレイメーターパネルカバープレート３２からなり、ディスプレイメーターパネルカバープレート３２表面の円周に目盛線が印字される。ディスプレイメーターパネル外歯車３１の円心位置にはディスプレイメーターパネル外歯車貫通穴３１１が開設され、体重調節ねじ１の取付けに用いられる。ディスプレイメーターパネルカバープレート３２は円柱体であり、円心位置にはメーターパネルカバープレート貫通穴３２１が開設される。ディスプレイメーターパネル外歯車３１はディスプレイ内歯車２２と噛み合い、ディスプレイメーターパネルカバープレート３２はディスプレイメーターパネル外歯車３１に取り付けられる。
【００２０】
体重調節ねじ１にねじ山部１１が設置され、体重調節ねじ１はねじ山部１１から離れる一端部はレバー接続部１２であり、レバー接続部１２にねじピン穴１２１が設置され、レバー接続部１２の両側は四角面であり、レバー接続部１２の厚さは体重調節ねじ１の直径よりも小さく、レバー接続部１２の端部の厚さは最も小さい。体重調節ねじ１は一体成形品である。
【００２１】
偏心ブッシュ４は小端部リングと大端部リングからなる。
【００２２】
平ワッシャー９と軸受８は座席衝撃緩衝機構に固定され、体重調節ねじ１のねじ山部１１端部を座席カバープレート１０、軸受８及び平ワッシャー９に対して順次貫通し、座席衝撃緩衝機構と組み立てる。平ワッシャー９の一端は軸受８と隣接し、他端はねじ山部１１に当接する。軸受８の他端は座席カバープレート１０に接続される。
【００２３】
ディスプレイ本体２は体重調節ねじ１のレバー接続部１２の端部を貫通し、リベットでディスプレイ本体２を座席カバープレート１０に固定し、その後にディスプレイメーターパネル３を体重調節ねじ１につけ、ディスプレイメーターパネル３の数値５０をディスプレイ本体２の針に位置合わせ、次に偏心ブッシュ４の小端部をディスプレイメーターパネル３内に入れ、締付けねじにより体重調節ねじ１に固定し、最後にレバーピン６と皿ばね７を介して調節レバー５と体重調節ねじ１を組み立て、調節レバー５は自由に回転でき、ディスプレイメーターパネル３とディスプレイ本体２の歯車の噛み合いが信頼でき、スムーズに回転し、偏心ブッシュ４、ディスプレイメーターパネル３、ディスプレイ本体２は同心である。
【００２４】
使用時には、まず反時計回りに調節レバー５を回転させて体重調節ねじ１を反時計回転させ、次に偏心ブッシュ４を反時計回転させ、ディスプレイメーターパネル３は回転する偏心ブッシュ４と固定されるディスプレイ本体２の作用によって、ディスプレイメーターパネル３は相対回転する（時計回りに回転する）ことで、５０Ｋｇ〜１３０Ｋｇの表示要件を実現し、正確的にカウントし、操作しやすいという目的を達成する。
【図１】
0003221318.tif 000003
【図２】
0003221318.tif 000004
【図３】
0003221318.tif 000005
【図４】
0003221318.tif 000006
【図５】
0003221318.tif 000007
【図６】
0003221318.tif 000008
【図７】
0003221318.tif 000009